(57)【特許請求の範囲】
【請求項１】
天板部とその周縁から垂下する筒部とで形成されると共に、前記筒部の下部に複数の幅狭ブリッジと１本の幅広ブリッジとが残るように円周方向に入れられた水平スコアにより、該筒部が天板部側の主部と下端側のピルファープルーフリング部とに区画され、このピルファープルーフリング部の前記幅広ブリッジ近傍に、ピルファープルーフリング部を切断可能にする垂直スコアが形成され、さらにピルファープルーフリング部の内面には、円周方向に間隔を隔てて設けられた内方に突出する複数の起伏可能なタブが設けられ、該タブが、開栓時に上向きの状態で容器に係止するように形成された合成樹脂製のピルファープルーフキャップにおいて、
前記垂直スコアが、幅広ブリッジの開栓方向終端側近傍で、且ついずれかの隣合う２つのタブの隙間の中心に位置して形成され、
前記ピルファープルーフリング部の内面には、前記タブの下方に、径方向内方に膨出したビード部が設けられ、該ビード部が、下方に倒れて該ビード部に当接したタブが容器に係止可能となるように形成されていることを特徴とするピルファープルーフキャップ。
【請求項２】
請求項１のピルファープルーフキャップにおいて、垂直スコアが、幅広ブリッジの開栓方向終端側近傍と開栓方向始端側近傍の両方に設けられたことを特徴とするピルファープルーフキャップ。
【請求項３】
請求項１または２記載のピルファープルーフキャップにおいて、垂直スコアが、その端部またはその途中に垂直ブリッジとなる未切断部分が形成されるように切込み形成され、或いは厚さ方向に未切断部分が残るように切込み形成されたことを特徴とするピルファープルーフキャップ。
【発明の詳細な説明】
【０００１】
【産業上の利用分野】
本発明は、容器が未開封のものであるか開封後のものであるかを確認するためのピルファープルーフリング部を備えた合成樹脂製のピルファープルーフキャップ（以下、ＰＰキャップと省略する）に関する。
【０００２】
【従来の技術】
従来より、飲料物等の内容物の詰め替え等の不正防止のために、キャップ開栓によってキャップの下部（ピルファープルーフリング部）が切り離されるように構成されたピルファープルーフ特性を有する合成樹脂製のキャップが提供されている。図３は特公昭６３−１１２２４号に開示されている従来の合成樹脂製ＰＰキャップの一例を示すものであり、このＰＰキャップ１Ａは、天板部２とその周縁から垂下する筒部３とで形成されると共に、この筒部３の下部に複数の幅狭ブリッジ４…と１本の幅広ブリッジ５とが残るように円周方向に入れられた水平スコア６により、この筒部３が天板部２側の主部７と下端側のピルファープルーフリング部８（以下、ＰＰリング部と略記する）とに区画され、さらにこのＰＰリング部８の前記幅広ブリッジ５に近接するように少なくとも２個の垂直スコア9a,9bを形成して構成されている。
前記筒部３の主部７内周壁面には、このＰＰキャップ１Ａを装着する容器の口部に形成されたネジに螺合するネジ部１０が形成されているとともに、ＰＰリング部８の内周壁面には、容器口部のネジ下方に設けられたＰＰリング係止用の係止段部に係合させるための多数のウイング１１…が突設されている。
この従来のＰＰキャップ１Ａは、容器口部に装着されたＰＰキャップ１Ａを開栓する際に、複数の幅狭ブリッジ４…が破断するとともに、垂直スコア9a,9bの少なくとも一方が破断し、バンド状に開かれたＰＰリング部８が幅広ブリッジ５のみで主部７下端に接続された状態でキャップとともに容器口部から外され、ＰＰリング部８が容器口部に残存することがない。
そして、この特公昭６３−１１２２４号に開示されたキャップ１Ａでは、２つの垂直スコア9a,9bの間隔を規定することにより、少なくともいずれか１つの垂直スコアが、ウイング１１に重なることなく形成することができ、垂直スコアの破断が確実に行われるようになっている。
【０００３】
ところで、合成樹脂製のＰＰキャップとしては、上記のタイプの他、図４に示すようにＰＰリング部の内周壁面に、円周方向に間隔を隔てて設けられた内方に突出する複数のタブ１２…と、これらタブ１２…の下方に設けられた環状ビード１３とを備えたＰＰキャップ１Ｂが知られている（特開平２−２９６６６号公報参照）。
【０００４】
【発明が解決しようとする課題】
しかしながら、後述したタブ１２を有するＰＰキャップ１Ｂにおいては、各タブ１２…の基部（タブ１２のＰＰリング部８への付根部分）間の間隔が狭いために、前者のウイング付きＰＰキャップ１Ａの場合のように、所定の間隔を隔てて少なくとも２つの垂直スコア９ａ，９ｂを形成しても、これら垂直スコアが両方ともタブ１２…の基部と重なってしまう場合が多くなり、その結果、開栓時に垂直スコアがきれいに破断されず、ＰＰリング部８が容器口部に残存し、これを取り去るためにキャップを強く引っ張らねばならないなどの不都合を生じていた。
【０００５】
本発明は前記事情に鑑みてなされたもので、開栓時に垂直スコアが確実に破断されるＰＰキャップの提供を目的としている。
【０００６】
【課題を解決するための手段】
本発明のＰＰキャップは、天板部とその周縁から垂下する筒部とで形成されると共に、前記筒部の下部に複数の幅狭ブリッジと１本の幅広ブリッジとが残るように円周方向に入れられた水平スコアにより、該筒部が天板部側の主部と下端側のピルファープルーフリング部とに区画され、このピルファープルーフリング部の前記幅広ブリッジ近傍に、ピルファープルーフリング部を切断可能にする垂直スコアが形成され、さらにピルファープルーフリング部の内面には、円周方向に間隔を隔てて設けられた内方に突出する複数の起伏可能なタブが設けられ、該タブが、開栓時に上向きの状態で容器に係止するように形成された合成樹脂製のピルファープルーフキャップにおいて、前記垂直スコアが、幅広ブリッジの開栓方向終端側近傍で、且ついずれかの隣合う２つのタブの隙間の中心に位置して形成され、前記ピルファープルーフリング部の内面には、前記タブの下方に、径方向内方に膨出したビード部が設けられ、該ビード部が、下方に倒れて該ビード部に当接したタブが容器に係止可能となるように形成されていることを特徴とするものである。
また、幅広ブリッジの開栓方向終端側近傍と開栓方向始端側近傍の両方に垂直スコアを設けても良い。
【０００８】
この垂直スコアは、その端部またはその途中に垂直ブリッジとなる未切断部分が形成されるように切込み形成され、或いは厚さ方向に未切断部分が残るように切込み形成される。
【０００９】
また、隣合う２つのタブの隙間が２ｍｍ以内である場合には、この隙間の中心と垂直スコアとの離間が０.３ｍｍ以内であることが望ましい。
【００１０】
【作用】
本発明のＰＰキャップは、ＰＰリング部の内周壁面に複数のタブが設けられてなる合成樹脂製のピルファープルーフキャップにおいて、垂直スコアを、幅広ブリッジの近傍で、且ついずれかの隣合う２つのタブの中心に位置して形成したことにより、垂直スコアがタブの基部に係って破断されない不都合がなくなり、開栓時に垂直スコアが確実に破断する。
【００１１】
【実施例】
図１及び図２は本発明のＰＰキャップの一実施例を示すものである。このＰＰキャップ２０は、天板部２１とその周縁から垂下する筒部２２とで形成されると共に、この筒部２２の下部に複数の幅狭ブリッジ２３…と１本の幅広ブリッジ２４とが残るように円周方向に入れられた水平スコア２５により、この筒部２２が天板部側の主部２６と下端側のＰＰリング部２７とに区画され、さらにこのＰＰリング部２７の幅広ブリッジ２４の一側部近傍に、ＰＰリング部ブリッジ２８が残るように垂直スコア２９を形成して構成されている。
【００１２】
前記筒部２２の主部２６内周壁面には、ネジ部３０が形成されているとともに、ＰＰリング部２７の内周壁面には、このＰＰキャップ２０を装着するべき容器口部のネジ部下方に設けられたＰＰリング係止用の係止段部に係合させるための径方向内方に向けて延出した複数のタブ３１…が円周方向に沿ってそれぞれ間隔をおいて配設されている。また。これらタブ３１…の下方には、径方向内方側に向けて膨出した環状のビード部３２が形成されている。
【００１３】
垂直スコア２９は、いずれかの隣合う２つのタブ３１，３１の隙間Ｌの中心に合致するように垂直に形成されている。隣合う２つのタブ３１，３１の隙間が２ｍｍ以内である場合には、この隙間Ｌの中心と垂直スコア２９との離間は０.３ｍｍ以内とすることが望ましい。上述したようにＰＰリング部２７にタブ３１とビード部３２とが形成されているものでは、水平スコア２５と垂直スコア２９とを形成する場合に、キャップのそれぞれの位置を同じ力で切断できれば、水平スコア２５と垂直スコア２９とを同様に切断して形成することができるのでキャップ製造上好ましいが、この隙間Ｌの中心と垂直スコア２９との離間が、０.３ｍｍを越えると、近い方のタブ３１の基部によってＰＰリング部２７の機械強度が増加するので、切断するために強い力が必要となり、水平スコア２５との同時形成が困難となるので好ましくない。
【００１４】
この実施例では、垂直スコア２９は、その途中にＰＰリング部ブリッジ２８となる未切断部分が形成されるように切込み形成されている。なお、垂直スコア２９の形状は本例に限らず、その端部にＰＰリング部ブリッジ２８となる未切断部分が形成されるように形成しても良いし、或いは厚さ方向に未切断部分が残るように切込み形成しても良い。
【００１５】
この垂直スコア２９及び水平スコア２５を形成する方法としては、成型したスコア形成前のキャップをスコア形成用のカッターに供給し、このカッターでキャップ開口近傍に形成された多数のタブ３１…のうち、いずれかの隣合う２つのタブ31,31を検知し、それらの隙間Ｌの中間を垂直スコア２９形成位置として位置決めし、その垂直スコア２９に幅広ブリッジ２４の一方を近接させて水平スコア２５を形成し、それと同時に或いは水平スコア２５形成の前後いずれかに垂直スコア２９を形成する。
【００１６】
このＰＰキャップ２０は、上部外周面にネジ部が形成されるとともに、その下方にはＰＰリング係止用の膨出部が径方向外方に向けて膨出形成された容器口部にネジ嵌合されて装着される。このキャップ２０を容器口部に装着する際には、ＰＰリング部２７の各タブ３１…が上向きに倒れ、容器口部の膨出部を越え、幅狭ブリッジ２３…及びＰＰリング部ブリッジ２８が破断することなく容器口部に装着される。容器口部に装着されたＰＰキャップ２０は、タブ３１…が斜め上方を向き、その先端が容器口部の膨出部下方に接触ないし近接した状態となる。そして、装着されたＰＰキャップ２０を開栓方向に回すと、ＰＰキャップ２０の主部２６はネジ部３０に沿って上昇するが、ＰＰリング部２７はタブ３１…が容器口部の膨出部に係止され、その結果主部２６とＰＰリング部２７をつなぐ多数の幅狭ブリッジ２３…が破断するとともに、ＰＰリング部２７が膨出部に乗り上げる際にＰＰリング部ブリッジ２８が破断される。この結果、ＰＰリング部２７はバンド状に開かれて幅広ブリッジ２４で主部２６につながれた状態となり、開栓される。
【００１７】
この開栓の際、タブ３１…が容器口部の膨出部に当接して下方に押し倒されてしまう場合もあるが、押し倒されたタブ３１…はビード部３２に当接する。ビード部３２にタブ３１…が接した状態では、容器口部の膨出部が抜け出せない寸法になっているために、タブ３１…が容器口部の膨出部に当接して下方に押し倒されても確実に幅狭ブリッジ２３…とＰＰリング部ブリッジ２８の破断が生じる。
【００１８】
この実施例のＰＰキャップ２０においては、垂直スコアを、幅広ブリッジの近傍で、且ついずれかの隣合う２つのタブの中心に位置して形成したことにより、垂直スコアがタブの基部にかかって破断されない不都合がなくなり、開栓時に垂直スコアが確実に破断する。従って、このＰＰキャップによれば、開栓時に垂直スコアが確実に破断され、ＰＰリング部が残ってキャップ開栓に支障をきたすことのない、使用感に優れたＰＰキャップを提供することができる。
【００１９】
なお、上記実施例では、幅広ブリッジの開栓方向終端側近傍に垂直スコアを設けた場合を例示したが、幅広ブリッジの開栓方向終端側近傍と開栓方向始端近傍の両方に垂直スコアを設けても良い。幅広ブリッジの両側に垂直スコアを設けることにより、一方の垂直スコアからバンド状に開かれて幅広ブリッジ２４で主部２６につながれたＰＰリング部２７を、他方の垂直スコアに沿って切り離すことによって容易に取り去ることができるようになる。
【００２０】
【発明の効果】
以上説明したように、本発明のＰＰキャップは、ＰＰリング部の内周壁面に複数のタブが設けられてなる合成樹脂製のピルファープルーフキャップにおいて、垂直スコアを、幅広ブリッジの近傍で、且ついずれかの隣合う２つのタブの中心に位置して形成したことにより、垂直スコアがタブの基部にかかって破断されない不都合がなくなり、開栓時に垂直スコアが確実に破断する。従って、このＰＰキャップによれば、開栓時に垂直スコアが確実に破断され、ＰＰリング部が残ってキャップ開栓に支障をきたすことのない、使用感に優れたＰＰキャップを提供することができる。
【図面の簡単な説明】
【図１】本発明の一実施例を示すＰＰキャップの正面断面図である。
【図２】同じＰＰキャップの要部拡大正面図である。
【図３】従来のＰＰキャップの一例を示す正面断面図である。
【図４】従来のＰＰキャップの別な例を示す正面断面図である。
【符号の説明】
２０……ＰＰキャップ、２１……天板部、２２……筒部、２３……幅狭ブリッジ、２４……幅広ブリッジ、２５……水平スコア、２６……主部、２７……ＰＰリング部、２９……垂直スコア、３１……タブ。
【図１】
0003654957.tif 000002
【図２】
0003654957.tif 000003
【図３】
0003654957.tif 000004
【図４】
0003654957.tif 000005